(57)【特許請求の範囲】
【請求項１】
複数の端末にネットワークを介して接続され、所定のグループの登録者を管理する登録者管理サーバであって、
前記グループに登録されていない新規登録者が操作する前記端末である新規登録者端末から、当該新規登録者端末を識別する新規登録者端末識別情報及び前記グループへの登録を申請する登録申請情報を受信する登録申請受信手段と、
既登録者が操作する前記端末である既登録者端末から、当該既登録者を識別する既登録者識別情報と、前記新規登録者を認証することを示す認証情報と、前記新規登録者端末から受信した前記新規登録者端末識別情報と、を受信する認証情報受信手段と、
前記新規登録者端末及び前記既登録者端末から前記受信した時間情報、位置情報、組織情報のうち少なくとも一つが所定の条件を満たすか否かを判定し、前記所定の条件を満たした場合には、前記新規登録者を前記グループに登録する登録手段と、
を有することを特徴とする登録者管理サーバ。
【請求項２】
前記登録手段は、前記新規登録者端末から前記登録申請情報を受信した時間を示す登録申請受信時間情報と、前記既登録者端末から前記認証情報を受信した時間を示す認証受信時間情報と、に基づき、前記所定の条件として、前記登録申請受信時間情報と前記認証受信時間情報との時間差が所定時間以内か否かを判定し、前記登録申請受信時間情報と前記認証受信時間情報との時間差が前記所定時間以内であると判定した場合には、前記新規登録者を前記グループに登録することを特徴とする請求項１に記載の登録者管理サーバ。
【請求項３】
前記登録申請受信手段は、前記新規登録者端末から、更に、当該新規登録者端末の位置を示す新規登録者端末位置情報を受信し、
前記認証情報受信手段は、前記既登録者端末から、更に、当該既登録者端末の位置を示す既登録者端末位置情報を受信し、
前記登録手段は、前記新規登録者端末から受信した前記新規登録者端末位置情報及び前記既登録者端末から受信した前記既登録者端末位置情報に基づき、前記所定の条件として、前記既登録者端末と前記新規登録者端末とが、所定のエリア内にあるか否かを判定し、前記既登録者端末と前記新規登録者端末が前記所定のエリア内にあると判定した場合には、前記新規登録者を前記グループに登録することを特徴とする請求項１又は２に記載の登録者管理サーバ。
【請求項４】
前記登録手段は、前記新規登録者端末から受信した前記新規登録者端末位置情報及び前記既登録者端末から受信した前記既登録者端末位置情報に基づき、前記所定の条件として、前記既登録者端末と前記新規登録者端末との距離が、所定距離以内か否かを判定し、前記既登録者端末と前記新規登録者端末との距離が、所定距離以内であると判定した場合には、前記新規登録者を前記グループに登録することを特徴とする請求項３に記載の登録者管理サーバ。
【請求項５】
前記登録手段は、前記新規登録者端末から受信した前記新規登録者端末位置情報に基づき、前記所定の条件として、前記新規登録者端末が、前記既登録者の認証可能な所定のエリア内にあるか否かを判定し、前記新規登録者端末が、前記既登録者の認証可能な所定のエリア内にあると判定した場合には、前記新規登録者を前記グループに登録することを特徴とする請求項３又は４に記載の登録者管理サーバ。
【請求項６】
前記登録申請受信手段は、前記新規登録者端末から、更に、当該新規登録者の組織情報を受信し、
前記認証情報受信手段は、前記既登録者端末から、更に、当該既登録者の組織情報を受信し、
前記登録者管理サーバの前記登録手段は、前記新規登録者端末から受信した前記新規登録者の組織情報及び前記既登録者端末から受信した前記既登録者の組織情報に基づき、前記所定の条件として、前記新規登録者が、前記既登録者の認証可能な所定の組織範囲内にあるか否かを判定し、当該所定の組織範囲内にあると判定した場合には、前記新規登録者を前記グループに登録することを特徴とする請求項２から５のいずれかに記載の登録者管理サーバ。
【請求項７】
付与ポイント決定手段を更に有し、前記付与ポイント決定手段は、
前記認証情報を送信した前記既登録者端末の数、前記既登録者端末と前記新規登録者端末との距離、登録申請受信時間情報と認証受信時間情報との時間差、前記既登録者端末を操作する既登録者の役職又は階級、のうち少なくともいずれか一つに応じて付与ポイントを決定し、
前記登録手段は、前記付与ポイント決定手段が決定した前記付与ポイントが所定値以上であるか否かを判定し、前記付与ポイントが所定値以上であると判定した場合には、前記新規登録者を前記グループに登録することを特徴とする請求項２から６のいずれかに記載の登録者管理サーバ。
【請求項８】
複数の端末にネットワークを介して接続され、所定のグループの登録者を管理する登録者管理サーバが実行する登録者管理方法であって、
前記グループに登録されていない新規登録者が操作する前記端末である新規登録者端末から、当該新規登録者端末を識別する新規登録者端末識別情報及び前記グループへの登録を申請する登録申請情報を受信するステップと、
前記グループに登録されている既登録者が操作する前記端末である既登録者端末から、当該既登録者を識別する既登録者識別情報と、前記新規登録者を認証することを示す認証情報と、前記新規登録者端末から受信した前記新規登録者端末識別情報と、を受信するステップと、
前記新規登録者端末及び前記既登録者端末から前記受信した時間情報、位置情報、組織情報のうち少なくとも一つが所定の条件を満たすか否かを判定し、前記所定の条件を満たした場合には、前記新規登録者を前記グループに登録するステップと、を含むことを特徴とする登録者管理方法。
【請求項９】
複数の端末にネットワークを介して接続され、所定のグループの登録者を管理する登録者管理サーバを構成するコンピュータを、
前記グループに登録されていない新規登録者が操作する前記端末である新規登録者端末から、当該新規登録者端末を識別する新規登録者端末識別情報及び前記グループへの登録を申請する登録申請情報を受信する登録申請受信手段、
既登録者が操作する前記端末である既登録者端末から、当該既登録者を識別する既登録者識別情報と、前記新規登録者を認証することを示す認証情報と、前記新規登録者端末から受信した前記新規登録者端末識別情報と、を受信する認証情報受信手段、
前記新規登録者端末及び前記既登録者端末から前記受信した時間情報、位置情報、組織情報のうち少なくとも一つが所定の条件を満たすか否かを判定し、前記所定の条件を満たした場合には、前記新規登録者を前記グループに登録する登録手段、
として機能させることを特徴とする登録者管理プログラム。
【請求項１０】
複数の端末と、前記端末にネットワークを介して接続され、所定のグループの登録者を管理する登録者管理サーバと、を備える登録者管理システムであって、
前記グループに登録されていない新規登録者が操作する前記端末である新規登録者端末は、
当該新規登録者端末を識別する新規登録者端末識別情報及び前記グループへの登録を申請する登録申請情報を、前記登録者管理サーバに送信する登録申請手段と、
前記新規登録者端末識別情報及び前記グループへの登録の認証を依頼する認証依頼情報を、前記グループに登録されている既登録者が操作する前記端末である既登録者端末に送信する認証依頼手段と、を有し、
前記既登録者端末は、当該既登録者を識別する既登録者識別情報と、前記新規登録者を認証することを示す認証情報と、前記新規登録者端末から受信した前記新規登録者端末識別情報と、を前記登録者管理サーバに送信する認証手段を有し、
前記登録者管理サーバは、
前記新規登録者端末及び前記既登録者端末から前記受信した時間情報、位置情報、組織情報のうち少なくとも一つが所定の条件を満たすか否かを判定し、前記所定の条件を満たした場合には、前記新規登録者を前記グループに登録する登録手段を有することを特徴とする登録者管理システム。
【発明の詳細な説明】
【技術分野】
【０００１】
本発明は、登録者管理サーバ、システム、その方法及びプログラムに関する。
【背景技術】
【０００２】
従来、企業が管理するサーバ等は、当該サーバにアクセス可能なユーザを登録し、ユーザごとに、ユーザＩＤ及び当該ユーザＩＤに関連付けられたパスワード等のユーザ情報を付与し、ユーザが端末から当該サーバにアクセスする場合には、このユーザ情報の入力を要求することで、当該サーバへのアクセスを登録されたユーザに限定している。
【０００３】
このように、登録されたユーザ（既登録者）のみがアクセス可能なシステムにおいて、新規にユーザ（新規登録者）を登録する技術として、ウェブサービスを利用しようとする第二のユーザが用いる第二の端末から受信したときに、そのアクセスに対する認証のために要求する質問又は属性情報の指定を、ウェブサービスを利用している第一の端末から受け付けて、その指定に基づく要求をアクセス元の第二の端末に送信し、送信された要求に対する応答内容を第二の端末から受信して第一の端末に送信し、送信された応答内容に対する第一のユーザによる認証結果を第一の端末から受け付け、受け付けた認証結果に基づき、第二の端末に対してウェブサービスを提供する情報処理装置が提案されている（特許文献１参照）。このような情報処理装置によれば、新規のユーザを登録する場合に、既に登録しているユーザを介することで、簡易な構成でウェブサービスを他者に容易に利用させることが可能となる。
【先行技術文献】
【特許文献】
【０００４】
【特許文献１】特開２０１３−１１９３３号公報
【発明の概要】
【発明が解決しようとする課題】
【０００５】
しかしながら、特許文献１の情報処理装置は、アクセスが制限されているウェブサービスの提供を受けることが可能なグループに登録するためには、新規登録者及び既登録者が、情報処理装置からの要求に複数回応じる必要があり、新規登録者及び既登録者の作業負担が大きいという問題があった。
【０００６】
したがって、本発明では、上記のような観点から、既登録者のみが所定のサービスを受けることが可能なグループに、新規登録者を登録する場合において、新規登録者及び既登録者の作業負担を軽減することを目的とする。
【課題を解決するための手段】
【０００７】
上記課題を解決するため、本発明は、以下のような解決手段を提供する。
【０００８】
（１）本発明の第１の態様では、複数の端末と、前記端末にネットワークを介して接続され、所定のグループの登録者を管理する登録者管理サーバであって、前記グループに登録されていない新規登録者が操作する前記端末である新規登録者端末から、当該新規登録者端末を識別する新規登録者端末識別情報及び前記グループへの登録を申請する登録申請情報を受信する登録申請受信手段と、既登録者が操作する前記端末である既登録者端末から、当該既登録者を識別する既登録者識別情報と、前記新規登録者を認証することを示す認証情報と、前記新規登録者端末から受信した前記新規登録者端末識別情報と、を受信する認証情報受信手段と、前記新規登録者端末から受信した前記新規登録者端末識別情報及び前記登録申請情報と、前記既登録者端末から受信した前記既登録者識別情報、前記認証情報及び前記新規登録者端末識別情報と、に基づき、所定の条件を満たすか否かを判定し、前記所定の条件を満たした場合には、前記新規登録者を前記グループに登録する登録手段と、を有することを特徴とする。
【０００９】
（２）また、本発明は、（１）の登録者管理サーバにおいて、前記登録手段は、前記新規登録者端末から前記登録申請情報を受信した時間を示す登録申請受信時間情報と、前記既登録者端末から前記認証情報を受信した時間を示す認証受信時間情報と、に基づき、前記所定の条件として、前記登録申請受信時間情報と前記認証受信時間情報との時間差が所定時間以内か否かを判定し、前記登録申請受信時間情報と前記認証受信時間情報との時間差が前記所定時間以内であると判定した場合には、前記新規登録者を前記グループに登録するようにしてもよい。
【００１０】
（３）また、本発明は、（１）又は（２）の登録者管理サーバにおいて、前記登録申請受信手段は、前記新規登録者端末から、更に、当該新規登録者端末の位置を示す新規登録者端末位置情報を受信し、前記認証情報受信手段は、前記既登録者端末から、更に、当該既登録者端末の位置を示す既登録者端末位置情報を受信し、前記登録手段は、前記新規登録者端末から受信した前記新規登録者端末位置情報及び前記既登録者端末から受信した前記既登録者端末位置情報に基づき、前記所定の条件として、前記既登録者端末と前記新規登録者端末とが、所定のエリア内にあるか否かを判定し、前記既登録者端末と前記新規登録者端末が前記所定のエリア内にあると判定した場合には、前記新規登録者を前記グループに登録するようにしてもよい。
【００１１】
（４）また、本発明は、（３）の登録者管理サーバにおいて、前記登録手段は、前記新規登録者端末から受信した前記新規登録者端末位置情報及び前記既登録者端末から受信した前記既登録者端末位置情報に基づき、前記所定の条件として、前記既登録者端末と前記新規登録者端末との距離が、所定距離以内か否かを判定し、前記既登録者端末と前記新規登録者端末との距離が、所定距離以内であると判定した場合には、前記新規登録者を前記グループに登録するようにしてもよい。
【００１２】
（５）また、本発明は、（３）又は（４）の登録者管理サーバにおいて、前記登録手段は、前記既登録者端末から受信した前記既登録者端末位置情報に基づき、前記所定の条件として、前記新規登録者端末が、前記既登録者の認証可能な所定のエリア内にあるか否かを判定し、前記新規登録者端末が、前記既登録者の認証可能な所定のエリア内にあると判定した場合には、前記新規登録者を前記グループに登録するようにしてもよい。
【００１３】
（６）また、本発明は、（２）から（５）までのいずれかの登録者管理サーバにおいて、前記登録申請受信手段は、前記新規登録者端末から、更に、当該新規登録者の組織情報を受信し、前記認証情報受信手段は、前記既登録者端末から、更に、当該既登録者の組織情報を受信し、前記登録者管理サーバの前記登録手段は、前記新規登録者端末から受信した前記新規登録者の組織情報及び前記既登録者端末から受信した前記既登録者の組織情報に基づき、前記所定の条件として、前記新規登録者が、前記既登録者の認証可能な所定の組織範囲内にあるか否かを判定し、当該所定の組織範囲内にあると判定した場合には、前記新規登録者を前記グループに登録するようにしてもよい。
【００１４】
（７）また、本発明は、（２）から（６）までのいずれかの登録者管理サーバにおいて、前記新規登録者端末と前記既登録者端末との関係性に応じて付与ポイントを決定する付与ポイント決定手段を、更に有し、前記登録手段は、前記付与ポイント決定手段が決定した前記付与ポイントが所定値以上であるか否かを判定し、前記付与ポイントが所定値以上であると判定した場合には、前記新規登録者を前記グループに登録するようにしてもよい。
【００１５】
（８）本発明の第２の態様では、複数の端末と、前記端末にネットワークを介して接続され、所定のグループの登録者を管理する登録者管理サーバが実行する登録者管理方法であって、前記グループに登録されていない新規登録者が操作する前記端末である新規登録者端末から、当該新規登録者端末を識別する新規登録者端末識別情報及び前記グループへの登録を申請する登録申請情報を受信するステップと、前記グループに登録されている既登録者が操作する前記端末である既登録者端末から、当該既登録者を識別する既登録者識別情報と、前記新規登録者を認証することを示す認証情報と、前記新規登録者端末から受信した前記新規登録者端末識別情報と、を受信するステップと、前記新規登録者端末から受信した前記新規登録者端末識別情報及び前記登録申請情報と、前記既登録者端末から受信した前記既登録者識別情報、前記認証情報及び前記新規登録者端末識別情報と、に基づき、所定の条件を満たすか否かを判定し、前記所定の条件を満たした場合には、前記新規登録者を前記グループに登録するステップと、を含むことを特徴とする。
【００１６】
（９）本発明の第３の態様は、複数の端末と、前記端末にネットワークを介して接続され、所定のグループの登録者を管理する登録者管理サーバを構成するコンピュータを、前記グループに登録されていない新規登録者が操作する前記端末である新規登録者端末から、当該新規登録者端末を識別する新規登録者端末識別情報及び前記グループへの登録を申請する登録申請情報を受信する登録申請受信手段、既登録者が操作する前記端末である既登録者端末から、当該既登録者を識別する既登録者識別情報と、前記新規登録者を認証することを示す認証情報と、前記新規登録者端末から受信した前記新規登録者端末識別情報と、を受信する認証情報受信手段、前記新規登録者端末から受信した前記新規登録者端末識別情報及び前記登録申請情報と、前記既登録者端末から受信した前記既登録者識別情報、前記認証情報及び前記新規登録者端末識別情報と、に基づき、所定の条件を満たすか否かを判定し、前記所定の条件を満たした場合には、前記新規登録者を前記グループに登録する登録手段、として機能させることを特徴とする登録者管理プログラムである。
【００１７】
（１０）本発明の第４の態様では、複数の端末と、前記端末にネットワークを介して接続され、所定のグループの登録者を管理する登録者管理サーバと、を備える登録者管理システムであって、前記グループに登録されていない新規登録者が操作する前記端末である新規登録者端末は、当該新規登録者端末を識別する新規登録者端末識別情報及び前記グループへの登録を申請する登録申請情報を、前記登録者管理サーバに送信する登録申請手段と、前記新規登録者端末識別情報及び前記グループへの登録の認証を依頼する認証依頼情報を、前記グループに登録されている既登録者が操作する前記端末である既登録者端末に送信する認証依頼手段と、を有し、前記既登録者端末は、当該既登録者を識別する既登録者識別情報と、前記新規登録者を認証することを示す認証情報と、前記新規登録者端末から受信した前記新規登録者端末識別情報と、を前記登録者管理サーバに送信する認証手段を有し、前記登録者管理サーバは、前記新規登録者端末から受信した前記新規登録者端末識別情報及び前記登録申請情報と、前記既登録者端末から受信した前記既登録者識別情報、前記認証情報及び前記新規登録者端末識別情報と、に基づき、所定の条件を満たすか否かを判定し、前記所定の条件を満たした場合には、前記新規登録者を前記グループに登録する登録手段を有することを特徴とする。
【発明の効果】
【００１８】
本発明によれば、既登録者のみが所定のサービスを受けることが可能なグループに、新規登録者を登録する場合において、新規登録者及び既登録者の作業負担を軽減できる。
【図面の簡単な説明】
【００１９】
【図１】本発明の実施形態に係る登録者管理システムの基本構成の概念を示す図である。
【図２】本発明の実施形態に係る登録者管理システムにおける登録者管理サーバ、新規登録者端末及び既登録者端末の機能構成を示す図である。
【図３】本発明の実施形態に係る登録者管理システムの制御手段が実行する登録者管理処理フローを示す図である。
【図４】本発明の実施形態の応用例に係る登録者管理システムの基本構成の概念を示す図である。
【図５】本発明の実施形態の応用例に係る登録者管理システムにおける登録者管理サーバ、新規登録者端末及び既登録者端末の機能構成を示す図である。
【発明を実施するための形態】
【００２０】
以下、添付図面を参照して、本発明を実施するための形態（以下、実施形態）について詳細に説明する。以降の図においては、実施形態の説明の全体を通して同じ要素には同じ番号又は符号を付している。また、機能構成の図において、機能ブロック間の矢印は、データの流れ方向、又は処理の流れ方向を表す。
【００２１】
（基本概念／基本構成）
図１は、本発明の実施形態に係る登録者管理システムの基本構成の概念を示す図である。登録者管理システム１は、複数の端末（新規登録者が操作する新規登録者端末１０、グループに登録されている既登録者が操作する既登録者端末２０）と、端末にネットワークを介して接続され、所定のグループの登録者を管理する登録者管理サーバ３０と、を備える。ここで、本実施形態において、「所定のグループ」とは、所定のサービス（例えば、ネットワークにおいて、アクセスが制限されているサーバやファイル等へのアクセス権限の付与）の提供を受けることができるユーザのグループである。
【００２２】
このグループに登録されていない（所定のサービスの提供を受けたい）ユーザである新規登録者は、自己が操作する端末である新規登録者端末１０により、当該新規登録者端末１０の位置を示す新規登録者端末位置情報、新規登録者端末１０を識別する新規登録者端末識別情報（例えば、当該端末の固有情報であるＭＡＣアドレス等）及びグループへの登録を申請する登録申請情報を、登録者管理サーバ３０に送信する。
【００２３】
そして、新規登録者は、新規登録者端末１０により、登録者管理システム１の管理者や既登録者等から配布された双方向通信可能なハードウェアキー（例えば、近距離無線通信デバイス等）や、新規登録者端末１０が備える通信機能で、新規登録者端末識別情報（例えば、ＭＡＣアドレスやハードウェアキーを識別するハードウェアキーＩＤ等）及びグループへの登録の認証を依頼する認証依頼情報を、既登録者端末２０に送信する。例えば、新規登録者端末１０が、登録者管理システム１によって管理された端末（例えば、会社から貸与された端末）を、所定のグループに登録する場合には、新規登録者端末１０が備える通信機能により、上記情報を既登録者端末２０に送信する。一方、新規登録者端末１０が、登録者管理システム１によって管理されていない端末（例えば、新規登録者が所有する端末）を、所定のグループに登録する場合には、登録者管理システム１の管理者や既登録者等から配布されたハードウェアキーにより、上記情報を既登録者端末２０に送信する。このようにハードウェアキーを新規登録者端末１０に接続し、既登録者端末２０と通信可能とすることで、新規登録者端末１０が、登録者管理システム１において全く管理していない端末であっても一時利用が可能となる。
【００２４】
また、新規登録者は、新規登録者端末１０により、これらの情報と合わせ、自己の情報であるユーザ情報（例えば、新規登録者端末１０や自己の名前、ユーザＩＤ、パスワード等）を、既登録者端末２０に送信してもよい。
【００２５】
次に、既登録者は、自己が操作する端末である既登録者端末２０により、登録者管理システム１の管理者等から配布されたハードウェアキーや、既登録者端末２０が備える通信機能で、当該既登録者を識別する既登録者識別情報（例えば、既登録者端末２０や自己の名前、ユーザＩＤ、パスワード等）と、新規登録者を認証することを示す認証情報と、当該既登録者端末２０の位置を示す既登録者端末位置情報と、新規登録者端末１０から受信した新規登録者端末識別情報と、を登録者管理サーバ３０に送信する。この場合、既登録者識別情報として、生体認証装置により認証された認証情報を含めることで、他人（例えば、新規登録者）による成り済ましを防止できる。
【００２６】
次に、登録者管理サーバ３０は、新規登録者端末１０から受信した新規登録者端末位置情報、新規登録者端末識別情報及び登録申請情報と、既登録者端末２０から受信した既登録者識別情報、認証情報、新規登録者端末識別情報及び既登録者端末位置情報と、に基づき、所定の条件を満たすか否かを判定し、所定の条件を満たした場合には、新規登録者をグループに登録する。
【００２７】
具体的には、登録者管理サーバ３０は、新規登録者端末１０から登録申請情報を受信すると、登録申請情報を受信した時間を示す登録申請受信時間情報を取得する。また、登録者管理サーバ３０は、既登録者端末２０から認証情報を受信すると、認証情報を受信した時間を示す認証受信時間情報を取得する。そして、登録者管理サーバ３０は、登録申請受信時間情報と、認証受信時間情報と、に基づき、所定の条件として、登録申請受信時間情報と認証受信時間情報との時間差が所定時間以内か否かを判定し、登録申請受信時間情報と認証受信時間情報との時間差が所定時間以内であると判定した場合には、新規登録者をグループに登録する。
【００２８】
また、登録者管理サーバ３０は、新規登録者端末１０から送信された新規登録者端末位置情報及び既登録者端末２０から送信された既登録者端末位置情報に基づき、所定の条件として、既登録者端末２０と新規登録者端末１０とが、所定のエリアとしての登録申請可能エリア内にあるか否かを判定し、既登録者端末２０と新規登録者端末１０が登録申請可能エリア内にあると判定した場合には、新規登録者を当該グループに登録する。
また、登録者管理サーバ３０は、既登録者端末位置情報に基づき、所定の条件として、既登録者端末２０が、既登録者の認証可能な所定のエリア内にあるか否かを判定し、既登録者端末２０が既登録者の認証可能な所定のエリア内にあると判定した場合には、新規登録者を当該グループに登録する。
また、登録者管理サーバ３０は、新規登録者端末１０から新規登録者の組織情報を受信し、既登録者端末２０から既登録者の組織情報を受信した場合には、新規登録者端末１０から送信された新規登録者の組織情報及び既登録者端末２０から送信された既登録者の組織情報に基づき、所定の条件として、新規登録者が、既登録者の認証可能な所定の組織範囲内にあるか否かを判定し、当該所定の組織範囲内にあると判定した場合には、新規登録者をグループに登録するようにしてもよい。この場合、例えば、組織が会社であれば、組織情報に示された情報に基づき、新規登録者の役職や階級が、既登録者の役職や階級より下であれば、認証可能な所定の組織範囲内と判定する。
【００２９】
また、登録者管理サーバ３０は、新規登録者端末１０から送信された新規登録者端末位置情報及び既登録者端末２０から送信された既登録者端末位置情報に基づき、所定の条件として、既登録者端末２０と新規登録者端末１０との距離が、所定距離以内か否かを判定し、既登録者端末２０と新規登録者端末１０との距離が、所定距離以内であると判定した場合には、新規登録者を所定のグループに登録する。
【００３０】
そして、新規登録者は、登録者管理サーバ３０により、所定のグループに登録されると、当該グループに提供される所定のサービスを受けることができるようになる。
【００３１】
このように、登録者管理システム１によれば、新規登録者を所定のグループに登録する場合に、既登録者を介することで、セキュリティーを向上できる。また、このように、既登録者を介しても、新規登録者端末１０、既登録者端末２０及び登録者管理サーバ３０の間で情報の送受信を複数回に亘って行うことなく、新規登録者を所定のグループに登録することができる。したがって、既登録者のみが所定のサービスを受けることが可能なグループに、新規登録者を登録する場合において、新規登録者及び既登録者の作業負担を軽減できる。
【００３２】
（機能構成）
図２は、本発明の実施形態に係る登録者管理システムにおける登録者管理サーバ、新規登録者端末及び既登録者端末の機能構成を示す図である。登録者管理システム１は、複数の端末（新規登録者端末１０、既登録者端末２０）と、端末にネットワークを介して接続され、所定のグループの登録者を管理する登録者管理サーバ３０と、を備える。
【００３３】
新規登録者端末１０は、受付手段１１と、位置情報取得手段１２と、登録申請手段１３と、認証依頼手段１４と、情報取得手段１５と、を備える。
【００３４】
受付手段１１は、例えば、キーボード、マウス、タッチパネル等の入力手段における新規登録者の操作を受け付ける。位置情報取得手段１２は、ＧＰＳ(Global  Positioning  System)衛星から、ＧＰＳ信号を受信し、受信したＧＰＳ信号に基づき現在の新規登録者端末１０の位置情報である新規登録者端末位置情報を算出する。
【００３５】
登録申請手段１３は、受付手段１１で受け付けた新規登録者の操作に基づき、新規登録者端末位置情報、当該新規登録者端末１０を識別する新規登録者端末識別情報及びグループへの登録を申請する登録申請情報を、登録者管理サーバ３０に送信する。また、登録申請手段１３は、受付手段１１で受け付けた新規登録者の操作に基づき、当該新規登録者の組織情報（例えば、組織である会社等における役職や階級等を示す情報）を、登録者管理サーバ３０に送信してもよい。
【００３６】
認証依頼手段１４は、受付手段１１で受け付けた新規登録者の操作に基づき、グループへの登録の認証を依頼する認証依頼情報及びを、既登録者端末２０に送信する。
【００３７】
情報取得手段１５は、登録者管理サーバ３０により所定のグループに登録された後、当該グループに提供される所定のサービスに基づく各種の情報を取得する。
【００３８】
既登録者端末２０は、受付手段２１と、既登録者端末受信手段２２と、位置情報取得手段２３と、認証手段２４と、情報取得手段２５と、を備える。受付手段２１は、例えば、キーボード、マウス、タッチパネル等の入力手段における新規登録者の操作を受け付ける。
【００３９】
既登録者端末受信手段２２は、新規登録者端末１０から送信された新規登録者端末識別情報及び認証依頼情報を受信する。位置情報取得手段２３は、ＧＰＳ衛星から、ＧＰＳ信号を受信し、受信したＧＰＳ信号に基づき現在の既登録者端末２０の位置情報である既登録者端末位置情報を算出する。
【００４０】
認証手段２４は、既登録者を識別する既登録者識別情報と、新規登録者を認証することを示す認証情報と、位置情報取得手段２３が算出した既登録者端末位置情報と、既登録者端末受信手段２２が受信した新規登録者端末識別情報と、を登録者管理サーバ３０に送信する。
また、認証手段２４は、当該既登録者の組織情報を、登録者管理サーバ３０に送信してもよい。
【００４１】
情報取得手段２５は、グループに提供される所定のサービスに基づく各種の情報を取得する。
【００４２】
登録者管理サーバ３０は、登録者管理サーバ受信手段３１と、登録手段３２と、情報提供手段３３と、登録者管理データベース（以下、登録者管理ＤＢとも言う。）３５と、を備える。
【００４３】
登録者管理サーバ受信手段３１は、新規登録者端末１０から送信された新規登録者端末位置情報、新規登録者端末識別情報及び登録申請情報を受信し、既登録者端末２０から送信された既登録者識別情報、認証情報及び既登録者端末位置情報を受信する。また、登録者管理サーバ受信手段３１は、新規登録者端末１０から登録申請情報を受信した場合には登録申請情報を受信した時間を示す登録申請受信時間情報を取得する。また、登録者管理サーバ受信手段３１は、既登録者端末２０から認証情報を受信した場合には認証情報を受信した時間を示す認証受信時間情報を取得する。このような登録者管理サーバ受信手段３１は、グループに登録されていない新規登録者が操作する端末である新規登録者端末から、当該新規登録者端末を識別する新規登録者端末識別情報及びグループへの登録を申請する登録申請情報を受信する登録申請受信手段として機能する。また、登録者管理サーバ受信手段３１は、既登録者が操作する端末である既登録者端末から、当該既登録者を識別する既登録者識別情報と、新規登録者を認証することを示す認証情報と、新規登録者端末から受信した新規登録者端末識別情報と、を受信する認証情報受信手段として機能する。
【００４４】
登録手段３２は、登録者管理サーバ受信手段３１が受信した新規登録者端末識別情報、登録申請情報、認証情報、既登録者端末位置情報、新規登録者端末識別情報及び新規登録者端末位置情報と、登録者管理サーバ受信手段３１が取得した登録申請受信時間情報及び認証受信時間情報と、に基づき、所定の条件を満たすか否かを判定し、所定の条件を満たした場合には、登録者管理ＤＢ３５において、新規登録者をグループに登録する。
【００４５】
具体的には、登録手段３２は、登録申請受信時間情報と、認証受信時間情報と、に基づき、所定の条件として、登録申請受信時間情報と認証受信時間情報との時間差が所定時間以内か否かを判定し、登録申請受信時間情報と認証受信時間情報との時間差が所定時間以内であると判定した場合には、登録者管理ＤＢ３５において、新規登録者をグループに登録する。
【００４６】
また、登録手段３２は、既登録者端末位置情報及び新規登録者端末位置情報に基づき、所定の条件として、既登録者端末２０と新規登録者端末１０とが、所定のエリアとしての登録申請可能エリア内にあるか否かを判定し、既登録者端末２０と新規登録者端末１０が登録申請可能エリア内にあると判定した場合には、登録者管理ＤＢ３５において、新規登録者を当該グループに登録する。
また、登録手段３２は、新規登録者端末位置情報に基づき、所定の条件として、新規登録者端末２０が、既登録者の認証可能な所定のエリア内にあるか否かを判定し、新規登録者端末２０が既登録者の認証可能な所定のエリア内にあると判定した場合には、登録者管理ＤＢ３５において、新規登録者を当該グループに登録する。
また、登録手段３２は、新規登録者端末１０から新規登録者の組織情報を受信し、既登録者端末２０から既登録者の組織情報を受信した場合には、新規登録者端末１０から送信された新規登録者の組織情報及び既登録者端末２０から送信された既登録者の組織情報に基づき、所定の条件として、新規登録者が、既登録者の認証可能な所定の組織範囲内にあるか否かを判定し、当該所定の組織範囲内にあると判定した場合には、登録者管理ＤＢ３５において、新規登録者をグループに登録するようにしてもよい。この場合、例えば、組織が会社であれば、登録手段３２は、組織情報に示された情報に基づき、新規登録者の役職や階級が、既登録者の役職や階級より下であれば、認証可能な所定の組織範囲内と判定する。
【００４７】
また、登録手段３２は、既登録者端末位置情報及び新規登録者端末位置情報に基づき、所定の条件として、既登録者端末２０と新規登録者端末１０との距離が、所定距離以内か否かを判定し、既登録者端末２０と新規登録者端末１０との距離が、所定距離以内であると判定した場合には、登録者管理ＤＢ３５において、新規登録者を所定のグループに登録する。
【００４８】
登録者管理ＤＢ３５は、登録者に提供されるサービスが互いに異なる複数のグループごとに、各グループの登録者を識別するユーザ情報が対応付けられている。即ち、本実施形態の説明において、「グループに登録する」とは、登録者管理ＤＢ３５において、認証されたグループに、認証された新規登録者のユーザ情報を対応付けることを言う。
【００４９】
情報提供手段３３は、グループに登録された既登録者の要望に応じて、当該グループに提供される所定のサービスを提供する。例えば、情報提供手段３３は、グループに提供される所定のサービスが、ネットワークにおいて、アクセスが制限されているサーバやファイル等へのアクセス権限の付与であれば、既登録者のユーザ情報を受信した場合に、当該サーバやファイル等へのアクセスを許可したり、アクセスのためのパスワードを付与したりする。なお、このような権限は、期間を限定したり、特定の場所のみで有効としたり、また、この特定の場所以外では別のパスワードを必要とするものでもよい。
【００５０】
上記の本システムの機能構成は、あくまで一例であり、一つの機能ブロック（データベース及び機能処理部）を分割したり、複数の機能ブロックをまとめて一つの機能ブロックとして構成したりしてもよい。各機能処理部は、装置に内蔵されたＣＰＵ（Central  Processing  Unit）が、ＲＯＭ（Read  Only  Memory）、フラッシュメモリ、ＳＳＤ(Solid  State  Drive)、ハードディスク等の記憶装置に格納されたコンピュータ・プログラム（例えば、基幹ソフトや上述のキャラクタ生成アプリ等）を読み出し、ＣＰＵにより実行されたコンピュータ・プログラムによって実現される。すなわち、各機能処理部は、このコンピュータ・プログラムが、記憶装置に格納されたデータベース（ＤＢ;Data  Base)やメモリ上の記憶領域からテーブル等の必要なデータを読み書きし、場合によっては、関連するハードウェア（例えば、入出力装置、表示装置、通信インターフェース装置）を制御することによって実現される。また、本発明の実施形態におけるデータベース（ＤＢ）は、商用データベースであってよいが、単なるテーブルやファイルの集合体をも意味し、データベースの内部構造自体は問わないものとする。
【００５１】
（処理フロー）
以降の処理フロー図（フローチャート）においては、各ステップの入力と出力の関係を損なわない限り、各ステップの処理順序を入れ替えてもよい。
【００５２】
図３は、本発明の実施形態に係る登録者管理システムの制御手段が実行する登録者管理処理フローを示す図である。
【００５３】
ステップＳ１において、新規登録者端末１０の位置情報取得手段１２は、新規登録者端末位置情報を算出する。
ステップＳ２において、新規登録者端末１０の登録申請手段１３は、新規登録者端末位置情報、新規登録者端末識別情報及び登録申請情報を、登録者管理サーバ３０に送信する。
【００５４】
ステップＳ３において、登録者管理サーバ３０の登録者管理サーバ受信手段３１は、ステップＳ２で新規登録者端末１０から送信された新規登録者端末位置情報、新規登録者端末識別情報及び登録申請情報を受信する。
ステップＳ４において、登録者管理サーバ３０の登録者管理サーバ受信手段３１は、ステップＳ２で登録申請情報を受信した時間を示す登録申請受信時間情報を取得する。
【００５５】
ステップＳ５において、新規登録者端末１０の認証依頼手段１４は、新規登録者端末識別情報及び認証依頼情報を、既登録者端末２０に送信する。
【００５６】
ステップＳ６において、既登録者端末２０の既登録者端末受信手段２２は、新規登録者端末１０から送信された新規登録者端末識別情報及び認証依頼情報を受信する。
【００５７】
ステップＳ７において、既登録者端末２０の位置情報取得手段２３は、既登録者端末２０の既登録者端末位置情報を算出する。
【００５８】
ステップＳ８において、既登録者端末２０の認証手段２４は、既登録者識別情報と、新規登録者を認証することを示す認証情報と、ステップＳ７で位置情報取得手段２３が算出した既登録者端末位置情報と、ステップＳ６で既登録者端末受信手段２２が受信した新規登録者端末識別情報と、を登録者管理サーバ３０に送信する。
【００５９】
ステップＳ９において、登録者管理サーバ３０の登録者管理サーバ受信手段３１は、ステップＳ８で既登録者端末２０から送信された既登録者識別情報、認証情報、既登録者端末位置情報及び新規登録者端末識別情報を受信する。
【００６０】
ステップＳ１０において、登録者管理サーバ３０の登録者管理サーバ受信手段３１は、ステップＳ９で認証情報を受信した時間を示す認証受信時間情報を取得する。
【００６１】
ステップＳ１１において、登録者管理サーバ３０の登録手段３２は、ステップＳ３で登録者管理サーバ受信手段３１が受信した新規登録者端末位置情報、新規登録者端末識別情報及び登録申請情報と、ステップＳ９で登録者管理サーバ受信手段３１が受信した認証情報、既登録者端末位置情報及び新規登録者端末識別情報と、ステップＳ４で登録者管理サーバ受信手段３１が取得した登録申請受信時間情報及びステップＳ１０で登録者管理サーバ受信手段３１が取得した認証受信時間情報と、に基づき、所定の条件を満たすか否かを判定し、所定の条件を満たしたと判定した場合には、ステップＳ１２に処理を移し、所定の条件を満たしたと判定しない場合には、本処理を終了する。
【００６２】
ステップＳ１２において、登録者管理サーバ３０の登録手段３２は、登録者管理ＤＢ３５において、新規登録者をグループに登録する。
【００６３】
（応用例）
次に、本実施形態の応用例について説明する。
図４は、本発明の実施形態の応用例に係る登録者管理システムの基本構成の概念を示す図である。図５は、本発明の実施形態の応用例に係る登録者管理システムにおける登録者管理サーバ、新規登録者端末及び既登録者端末の機能構成を示す図である。
【００６４】
応用例に係る登録者管理システム１Ａは、登録者管理サーバ３０Ａの機能構成が、本実施形態に係る登録者管理システム１と異なり、新規登録者が登録されるまでに、一定水準の既登録者の認証が必要となる。
【００６５】
登録者管理システム１Ａの登録者管理サーバ３０Ａは、登録者管理サーバ３０の機能構成に加え、更に、付与ポイント決定手段３４を備える。付与ポイント決定手段３４は、新規登録者端末１０と既登録者端末２０との関係性に応じて付与ポイントを決定する。
【００６６】
具体的には、付与ポイント決定手段３４は、認証情報を送信した既登録者端末２０の数が多いほど、高い付与ポイントを決定する（例えば、認証情報を送信した既登録者端末２０の数が１つであれば付与ポイントが“１”であり、２つであれば付与ポイントが“２”となる。）。
【００６７】
また、付与ポイント決定手段３４は、既登録者端末位置情報及び新規登録者端末位置情報に基づき、既登録者端末２０と新規登録者端末１０との距離が近いほど、高い付与ポイントを決定する（例えば、既登録者端末２０と新規登録者端末１０との距離が５０ｍ以上であれば付与ポイントが“１”であり、３０ｍ以内であれば付与ポイントが“２”となる。）。
【００６８】
また、付与ポイント決定手段３４は、登録申請受信時間情報及び認証受信時間情報に基づき、登録申請受信時間情報と認証受信時間情報との時間差（申請から認証までの経過時間）が短いほど、高い付与ポイントを決定する（例えば、登録申請受信時間情報と認証受信時間情報との時間差が１時間以上であれば付与ポイントが“１”であり、３０分以内であれば付与ポイントが“２”となる。）。
【００６９】
また、登録者管理システム１Ａが所定の組織（例えば、会社等）で用いられる場合、付与ポイント決定手段３４は、既登録者端末２０を操作する既登録者の立場（役職や階級）が上であるほど、高い付与ポイントを決定する（例えば、既登録者が係長であれば付与ポイントが“１”であり、課長であれば付与ポイントが“２”となる。）。
【００７０】
そして、登録手段３２は、付与ポイント決定手段３４が決定した付与ポイントをカウントし、積算した値が所定値以上であるか否かを判定し、付与ポイントが所定値以上であると判定した場合には、登録者管理ＤＢ３５において、新規登録者を所定のグループに登録する。
【００７１】
なお、本応用例では、グループが１つの例を説明しているが、これに限らず、提供を受けることができるサービスが異なる複数のグループを設けてもよい。この場合、登録手段３２は、付与ポイント決定手段３４により決定された付与ポイントに応じて、段階的により多くのサービスを受けることができる（権限の範囲が広い）グループに登録してもよい。
【００７２】
また、登録手段３２は、新規登録者が所望するグループに応じて、カウントする付与ポイントの最低値を設けてもよい。この場合、登録手段３２は、例えば、新規登録者が権限の範囲が狭いグループを所望する場合には、付与ポイントが“１”からカウントするが、権限の範囲が広いグループを所望する場合には、付与ポイント“１”はカウントせず、付与ポイント“２”以上のものだけを積算してもよい。
【００７３】
また、登録手段３２は、登録申請可能エリアを、新規登録者が所望するグループの権限の範囲や、既登録者の実績や立場に応じて、変動させてもよい。
【００７４】
（実施形態及び応用例の効果）
本システムによれば、登録者管理システム１，１Ａは、複数の端末（新規登録者端末１０、既登録者端末２０）と、端末にネットワークを介して接続され、所定のグループの登録者を管理する登録者管理サーバ３０，３０Ａと、を備える。新規登録者端末１０は、登録申請手段１３と、認証依頼手段１４と、を備える。登録申請手段１３は、新規登録者端末１０を識別する新規登録者端末識別情報及びグループへの登録を申請する登録申請情報を、登録者管理サーバ３０，３０Ａに送信する。認証依頼手段１４は、新規登録者端末識別情報及びグループへの登録の認証を依頼する認証依頼情報を、既登録者端末２０に送信する。また、既登録者端末２０は、認証手段２４を備える。認証手段２４は、既登録者を識別する既登録者識別情報と、新規登録者を認証することを示す認証情報と、新規登録者端末１０から受信した新規登録者端末識別情報と、を登録者管理サーバ３０，３０Ａに送信する。登録者管理サーバ３０，３０Ａは、登録手段３２を備える。登録手段３２は、新規登録者端末１０から受信した新規登録者端末識別情報及び登録申請情報と、既登録者端末２０から受信した既登録者識別情報、認証情報及び新規登録者端末識別情報と、に基づき、所定の条件を満たすか否かを判定し、所定の条件を満たした場合には、新規登録者をグループに登録する。
【００７５】
これにより、新規登録者を所定のグループに登録する場合に、既登録者を介することで、セキュリティーを向上できる。また、このように、既登録者を介しても、新規登録者端末１０、既登録者端末２０及び登録者管理サーバ３０，３０Ａの間で情報の送受信を複数回に亘って行うことなく、新規登録者を所定のグループに登録することができる。したがって、既登録者のみが所定のサービスを受けることが可能なグループに、新規登録者を登録する場合において、新規登録者及び既登録者の作業負担を軽減できる。
【００７６】
また、登録者管理システム１，１Ａによれば、登録者管理サーバ３０，３０Ａの登録手段３２は、登録申請情報を受信した時間を示す登録申請受信時間情報と、既登録者端末２０から送信された認証情報を受信した時間を示す認証受信時間情報との時間差が所定時間以内であると判定した場合には、新規登録者を当該グループに登録する。これにより、申請から認証までの有効時間を設定できるので、セキュリティーを向上できる。
【００７７】
また、登録者管理システム１，１Ａによれば、登録者管理サーバ３０，３０Ａの登録手段３２は、既登録者端末２０と新規登録者端末１０とが、所定のエリア内にあるか否かを判定し、既登録者端末２０と新規登録者端末１０が所定のエリア内にあると判定した場合には、新規登録者をグループに登録する。これにより、新規登録者をグループに登録できるエリア（例えば、会社等の組織が所在する建物内等）を限定できるので、セキュリティーを向上できる。
【００７８】
また、登録者管理システム１，１Ａによれば、登録者管理サーバ３０，３０Ａの登録手段３２は、新規登録者端末２０が、既登録者の認証可能な所定のエリア内にあるか否かを判定し、新規登録者端末２０が既登録者の認証可能な所定のエリア内にあると判定した場合には、新規登録者をグループに登録する。これにより、既登録者の認証できるエリア（例えば、会社等の組織が所在する建物内等）を限定できるので、セキュリティーを向上できる。
【００７９】
また、登録者管理システム１，１Ａによれば、登録者管理サーバ３０，３０Ａの登録手段３２は、新規登録者の組織情報及び既登録者の組織情報に基づき、新規登録者が、既登録者の認証可能な所定の組織範囲内にあるか否かを判定し、当該所定の組織範囲内にあると判定した場合には、新規登録者をグループに登録する。これにより、既登録者と新規登録者との組織における役職や階級等に応じて、認証可能な範囲を限定できるので、セキュリティーを向上できる。
【００８０】
また、登録者管理システム１，１Ａによれば、登録者管理サーバ３０，３０Ａの登録手段３２は、既登録者端末２０と新規登録者端末１０との距離が、所定距離以内か否かを判定し、既登録者端末２０と新規登録者端末１０との距離が、所定距離以内であると判定した場合には、新規登録者をグループに登録する。これにより、既登録者端末２０と新規登録者端末１０との相対的な位置関係を限定できるので、セキュリティーを向上できる。
【００８１】
また、登録者管理システム１Ａによれば、登録者管理サーバ３０Ａの登録手段３２は、新規登録者端末１０と既登録者端末２０との関係性に応じた付与ポイントが所定値以上であるか否かを判定し、付与ポイントが所定値以上であると判定した場合には、新規登録者をグループに登録する。これにより、新規登録者を登録するために、一定水準以上の付与ポイントが必要となるので、セキュリティーを向上できる。
【００８２】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【００８３】
なお、上記の実施形態では、本発明を物の発明として、登録者管理システムについて説明したが、本発明は、方法の発明（登録者管理方法）としても捉えることもできる。
【符号の説明】
【００８４】
１，１Ａ    登録者管理システム
１０  新規登録者端末
１３  登録申請手段
１４  認証依頼手段
２０  既登録者端末
２４  認証手段
３０，３０Ａ  登録者管理サーバ
３２  登録手段
【図１】
0006677373.tif 000002
【図２】
0006677373.tif 000003
【図３】
0006677373.tif 000004
【図４】
0006677373.tif 000005
【図５】
0006677373.tif 000006